(57)【要約】【課題】ユーザがコミュニティ放送局を認知することが可能な技術を提供することを目的とする。【解決手段】ナビゲーション装置１は、記憶部１１と、制御部１６とを備えている。記憶部１１は、ラジオ放送局の名称、及び、ラジオ放送局がコミュニティ放送局であるか否かを示す識別情報を含む放送局情報１１ａを記憶する。制御部１６は、放送局情報１１ａに基づいて、受信可能なラジオ放送局の名称とともに、当該ラジオ放送局がコミュニティ放送局であるか否かを識別可能に表示装置１２に表示する。【選択図】図１
2014239319.tif 000002
【特許請求の範囲】
【請求項１】
移動体とともに移動する表示装置を制御する表示制御装置であって、
ラジオ放送局の名称、及び、前記ラジオ放送局がコミュニティ放送局であるか否かを示す識別情報を含む放送局情報を取得する放送局情報取得部と、
前記放送局情報に基づいて、受信可能なラジオ放送局の名称とともに、当該ラジオ放送局がコミュニティ放送局であるか否かを識別可能に前記表示装置に表示する制御部と
を備える、表示制御装置。
【請求項２】
請求項１に記載の表示制御装置であって、
前記放送局情報は、
コミュニティ放送局に関する放送対象地域の名称をさらに含み、
前記制御部は、
前記受信可能なラジオ放送局の名称としてコミュニティ放送局の名称を表示する場合に、当該コミュニティ放送局に関する前記放送対象地域の名称も前記表示装置に表示する、表示制御装置。
【請求項３】
請求項１または請求項２に記載の表示制御装置であって、
ユーザからの操作を取得する操作取得部をさらに備え、
前記制御部は、
前記操作取得部にて予め定められた操作を取得した場合に、前記受信可能なラジオ放送局の名称のうちコミュニティ放送局の名称のみを表示する、表示制御装置。
【請求項４】
請求項３に記載の表示制御装置であって、
前記移動体の現在位置を取得する位置取得部をさらに備え、
前記放送局情報は、
コミュニティ放送局に関する、送信所の位置、または、放送対象地域の情報をさらに含み、
前記制御部は、
前記受信可能なラジオ放送局の名称として複数のコミュニティ放送局の名称を表示する場合に、当該複数のコミュニティ放送局の名称を、前記移動体の現在位置と前記送信所の位置との間の距離、または、前記移動体の現在位置と前記放送対象地域の代表位置との間の距離が長くなる順に並べて表示する、表示制御装置。
【請求項５】
請求項１に記載の表示制御装置であって、
ユーザからの操作を取得する操作取得部と、
地図情報を取得する地図情報取得部と
をさらに備え、
前記放送局情報は、
コミュニティ放送局に関する放送対象地域を、前記地図情報に付加可能な情報をさらに含み、
前記制御部は、
前記操作取得部にて予め定められた操作を取得した場合には、前記受信可能なラジオ放送局の名称の表示から、当該ラジオ放送局のうちコミュニティ放送局に関する前記放送対象地域を識別可能に付加した前記地図情報の表示に切り替える、表示制御装置。
【請求項６】
請求項１に記載の表示制御装置であって、
ユーザからの操作を取得する操作取得部と、
ネットワークから情報を取得するネットワーク情報取得部と
をさらに備え、
前記制御部は、
前記操作取得部にて所望のコミュニティ放送局を選択する操作を取得した場合には、前記受信可能なラジオ放送局の名称の表示から、前記ネットワーク情報取得部がネットワークから取得した前記所望のコミュニティ放送局に関する情報の表示に切り替える、表示制御装置。
【請求項７】
移動体とともに移動する表示装置を制御する表示制御方法であって、
（ａ）ラジオ放送局の名称、及び、前記ラジオ放送局がコミュニティ放送局であるか否かを示す識別情報を含む放送局情報を取得する工程と、
（ｂ）前記放送局情報に基づいて、受信可能なラジオ放送局の名称とともに、当該ラジオ放送局がコミュニティ放送局であるか否かを識別可能に前記表示装置に表示する工程と
を備える、表示制御方法。
【発明の詳細な説明】
【技術分野】
【０００１】
本発明は、例えば車両などの移動体とともに移動する表示装置を制御する表示制御装置、及び、表示制御方法に関するものである。
【背景技術】
【０００２】
移動体とともに移動する表示装置を制御する表示制御装置の一種としてナビゲーション装置が知られており、近年、ナビゲーション装置について様々な技術が提案されている。例えば、特許文献１では、コミュニティ放送局、県域放送局及び広域放送局などのＦＭラジオ放送局の名称を一律に表示するナビゲーション装置が提案されている。
【先行技術文献】
【特許文献】
【０００３】
【特許文献１】特開２００７−０６７５８８号公報
【発明の概要】
【発明が解決しようとする課題】
【０００４】
上述した放送局のうち、コミュニティ放送局は、市区町村の単位で区分された地域を放送対象としており、当該地域（以下「放送対象地域」）に密着した情報を主に放送する。例えば、放送対象地域において自然災害などの災害が発生した場合には、コミュニティ放送局は、当該放送対象地域の災害状況や避難経路などの災害情報を放送する。そして、このようにコミュニティ放送局から放送される災害情報は、他のＦＭラジオ放送局（県域放送局及び広域放送局など）及び他のメディアからの災害情報に比べて、有用であることが多い。
【０００５】
しかしながら、コミュニティ放送局はあまり認知されていないことから、特許文献１の技術のように、コミュニティ放送局、県域放送局及び広域放送局の名称が一律に表示されてしまうと、その中からコミュニティ放送局を選局することが困難であった。また、コミュニティ放送局の存在すら知らない人が多いことから、災害などが発生しても、コミュニティ放送局から災害情報を聴こうとする人が少なく、有用な災害情報を聴く機会が得られていないという問題があった。
【０００６】
そこで、本発明は、上記のような問題点を鑑みてなされたものであり、ユーザがコミュニティ放送局を認知することが可能な技術を提供することを目的とする。
【課題を解決するための手段】
【０００７】
本発明に係る表示制御装置は、移動体とともに移動する表示装置を制御する表示制御装置であって、ラジオ放送局の名称、及び、ラジオ放送局がコミュニティ放送局であるか否かを示す識別情報を含む放送局情報を取得する放送局情報取得部と、放送局情報に基づいて、受信可能なラジオ放送局の名称とともに、当該ラジオ放送局がコミュニティ放送局であるか否かを識別可能に表示装置に表示する制御部とを備える。
【発明の効果】
【０００８】
本発明によれば、受信可能なラジオ放送局の名称とともに、当該ラジオ放送局がコミュニティ放送局であるか否かが識別可能に表示される。これにより、ユーザは、コミュニティ放送局を認知することができる。
【図面の簡単な説明】
【０００９】
【図１】実施の形態１に係るナビゲーション装置の構成を示すブロック図である。
【図２】実施の形態１に係るナビゲーション装置の動作を示すフローチャートである。
【図３】実施の形態１に係るナビゲーション装置の動作を説明するための図である。
【図４】実施の形態１に係るナビゲーション装置の動作を説明するための図である。
【図５】変形例２に係るナビゲーション装置の動作を説明するための図である。
【図６】変形例３に係るナビゲーション装置の動作を説明するための図である。
【図７】変形例４に係るナビゲーション装置の構成を示すブロック図である。
【図８】変形例４に係るナビゲーション装置の動作を説明するための図である。
【発明を実施するための形態】
【００１０】
＜実施の形態１＞
本発明の実施の形態１として、本発明に係る表示制御装置を、車両に搭載されたナビゲーション装置、すなわち車両とともに移動するナビゲーション装置に適用した場合を例にして説明する。図１は、当該ナビゲーション装置の構成の一例を示すブロック図である。以下、図１に示されるようなナビゲーション装置１が搭載された車両を「自車」と記して説明する。
【００１１】
このナビゲーション装置１は、記憶部１１と、表示装置１２と、操作部１３と、現在位置検出部１４と、ラジオ放送受信部１５と、これらを統括的に制御する制御部１６とを備えて構成されている。なお、ナビゲーション装置１は、現在位置から目的地までの経路を探索して当該経路に沿って自車を案内するナビゲーション機能と、ユーザによって選局されたラジオ放送局のラジオ放送を図示しない音声出力部（例えばスピーカ）から音声出力する放送音声出力機能とをさらに備えているが、これら機能に関する詳細な説明及び図示については省略する。
【００１２】
記憶部１１は、例えばＨＤＤ（Hard Disk Drive）、ＤＶＤ（Digital Versatile Disk）及びそのドライブ装置、及び、半導体メモリなどから構成される。記憶部１１（放送局情報取得部）は、ナビゲーション装置１の外部から放送局情報１１ａを予め取得し、当該放送局情報１１ａを記憶している。
【００１３】
ここで、放送局情報１１ａには、ラジオ放送局の名称と、当該ラジオ放送局の周波数と、当該ラジオ放送局がコミュニティ放送局であるか否かを示す識別情報と、当該ラジオ放送局に関する送信所の送信出力（送信時の電波強度）及び位置と、コミュニティ放送局に関する放送対象地域の名称とが含まれているものとする。また、ここでいうラジオ放送局は、コミュニティ放送局、県域放送局及び広域放送局を含むＦＭラジオ放送局であるものとする。
【００１４】
記憶部１１（地図情報取得部）は、地図情報１１ｂを予め取得し、当該地図情報１１ｂも記憶している。さらに、記憶部１１は、ナビゲーション装置１がナビゲーション機能及び放送音声出力機能を実行するために必要な情報も記憶している。
【００１５】
表示装置１２は、例えば液晶ディスプレイなどから構成され、運転者などのユーザに各種情報を表示する。
【００１６】
操作部１３（操作取得部）は、例えば押しボタン群、または、表示装置１２と一体化されたタッチパネルなどから構成され、ユーザからの操作を受け付ける（取得する）。
【００１７】
現在位置検出部１４は、例えばＧＰＳ（Global Positioning System）衛星からのＧＰＳ信号を受信するＧＰＳ受信機、自車の速度を検出する車速センサ、及び、自車のヨー角などの角速度を検出する角速度センサなどから構成される。現在位置検出部１４（位置取得部）が、例えばＧＰＳ受信機から構成されている場合には、受信したＧＰＳ信号に基づいて、地図上における自車の現在位置（例えば緯度・経度の座標）を検出（取得）する。
【００１８】
ラジオ放送受信部１５は、例えばラジオチューナーから構成されており、ラジオ放送局からラジオ放送を受信する。なお、以下の説明においては、ラジオ放送受信部１５が受信しているラジオ放送を、「受信放送」と記す。
【００１９】
制御部１６は、例えばＣＰＵ（Central Processing Unit）などから構成されており、記憶部１１などに記憶されているプログラムを実行することによって、ナビゲーション装置１の各構成要素を制御する。詳細については後述するが、制御部１６は、ラジオ放送受信部１５にてラジオ放送を受信可能かについて判定を行う。そして、制御部１６は、放送局情報１１ａに基づいて、受信可能と判定したラジオ放送を放送しているラジオ放送局（以下「受信可能なラジオ放送局」と記す）の名称とともに、当該ラジオ放送局がコミュニティ放送局であるか否かを識別可能に表示装置１２に表示する。
【００２０】
＜動作＞
図２は、本実施の形態１に係るナビゲーション装置１の動作を示すフローチャートである。以下、図２を用いて、本実施の形態１に係るナビゲーション装置１の動作について説明する。なお、図２に示す動作は、例えば、受信可能なラジオ放送局を表示する操作を操作部１３にて受け付けた場合に開始される。
【００２１】
まず、ステップＳ１にて、制御部１６は、ラジオ放送受信部１５にてラジオ放送を受信可能か否かについて判定する。例えば、制御部１６は、予め定められた最小の周波数（例えば７６．０［ＭＨｚ］）と、予め定められた最大の周波数（例えば９０．０［ＭＨｚ］）との間の全範囲内にて、受信放送の周波数を一定間隔ごと（例えば０．１［ＭＨｚ］ごと）に変更しながら、当該受信放送の受信強度が予め定められた閾値以上であるか否かを判定する。
【００２２】
そして、受信強度が当該閾値以上であると判定された受信放送の数が１つ以上ある場合には、ラジオ放送受信部１５にてラジオ放送を受信可能であると判定して、ステップＳ２に進む。一方、受信強度が当該閾値以上であると判定された受信放送の数が０である場合には、ラジオ放送受信部１５にてラジオ放送を受信できないと判定して、ステップＳ４に進む。
【００２３】
ステップＳ２にて、制御部１６は、受信可能なラジオ放送局について、放送局情報１１ａを記憶部１１から取得する。
【００２４】
ステップＳ３にて、制御部１６は、ステップＳ２で取得した放送局情報１１ａに基づいて、受信可能なラジオ放送局の名称とともに、当該ラジオ放送局がコミュニティ放送局であるか否かを識別可能に表示装置１２に表示する。ここでは、制御部１６は、ステップＳ２で取得した放送局情報１１ａに含まれるラジオ放送局の名称とともに、当該放送局情報１１ａに含まれる識別情報に基づいて、当該ラジオ放送局がコミュニティ放送局であるか否かを識別可能に表示装置１２に表示する。
【００２５】
図３は、ステップＳ３における表示装置１２の表示例を示す図である。図３に示すように、制御部１６は、現在の受信放送の周波数（ここではＣ１［ＭＨｚ］）を、表示装置１２の表示範囲１２ａにて表示する。また、制御部１６は、現在の受信放送の周波数が、受信可能なラジオ放送局の周波数と一致する場合には、当該ラジオ放送局の名称（ここではＣ２局）も、表示装置１２の表示範囲１２ａにて表示する。
【００２６】
また、図３に示すように、制御部１６は、受信可能なラジオ放送局の周波数（ここではＡ１，Ｂ１，Ｃ１，Ｄ１，Ｅ１［ＭＨｚ］）、及び、当該ラジオ放送局の名称（ここではＡ２局，Ｂ２局，Ｃ２局，Ｄ２局，Ｅ２局）などを、表示装置１２の表示範囲１２ｂにて表示する。なお、図３に示される表示範囲１２ｂには、受信放送が、Ｃ２局からのラジオ放送であることを示すために、Ｃ２局に関する情報を囲む四角の枠も表示されている。
【００２７】
ここで、Ａ２局，Ｃ２局，Ｄ２局がコミュニティ放送局であり、Ｂ２局，Ｅ２局がそれ以外のラジオ放送局であるものとする。この場合に、本実施の形態１では、制御部１６は、受信可能なラジオ放送局のうち、コミュニティ放送局（Ａ２局，Ｃ２局，Ｄ２局）に、「Ｃｆｍ」という文字が付されたコミュニティマーク１２ｃを付与して表示装置１２に表示する。すなわち、制御部１６は、受信可能なラジオ放送局がコミュニティ放送局であるか否かを識別可能に表示装置１２に表示する。このような構成によれば、ユーザは、受信可能なラジオ放送局のうち、どれがコミュニティ放送局であるかを認知することができる。
【００２８】
また、同ステップＳ３にて、制御部１６は、受信可能なラジオ放送局の名称としてコミュニティ放送局の名称を表示する場合には、その名称に揃えて、当該コミュニティ放送局に関する放送対象地域の名称（ここではＡ市，Ｃ区，Ｄ区）も表示装置１２に表示する。
【００２９】
このような構成によれば、ユーザは、コミュニティ放送局の放送対象地域を確認することができる。したがって、ユーザは、自身の現在位置に近い放送対象地域、ひいてはコミュニティ放送局を認知することができるので、災害発生時に当該コミュニティ放送局を選局することによって、自身に関係する有用な災害情報を早急に聴くことができる。
【００３０】
ステップＳ３の後、図２に示す動作を終了する。なお、図示しないが、図２に示す動作を終了した後の動作としては、例えば、表示装置１２に表示されたラジオ放送局の中から一のラジオ放送局を選択する操作を操作部１３にて受け付けた場合に、制御部１６が、放送音声出力機能を実行することによって、当該一のラジオ放送局からのラジオ放送を音声出力する。
【００３１】
なお、ステップＳ１からステップＳ４に進んだ場合には、制御部１６は、現在の受信放送の周波数のみを表示する。図４は、ステップＳ４における表示装置１２の表示例を示す図である。図４には、現在の受信放送の周波数として、ｎ［ＭＨｚ］が表示装置１２に表示されている。ステップＳ４の後、図２に示す動作を終了する。
【００３２】
以上のような本実施の形態１に係るナビゲーション装置１によれば、受信可能なラジオ放送局の名称とともに、当該ラジオ放送局がコミュニティ放送局であるか否かが識別可能に表示される。これにより、ユーザは、コミュニティ放送局を認知することができる。具体的には、ユーザは、受信可能なラジオ放送局のうち、どれがコミュニティ放送局であるかを認知することができるので、災害発生時にコミュニティ放送局を選局することによって、有用な災害情報を早急に聴くことができる。
【００３３】
なお、以上の説明では、コミュニティ放送局にコミュニティマーク１２ｃを付与することによって、受信可能なラジオ放送局がコミュニティ放送局であるか否かを識別可能に表示していたが、これに限ったものではない。例えば、文字の色及びフォントの差異、並びに、その他の記号などの表示及び非表示を用いて、コミュニティ放送局と、他のＦＭラジオ放送局（県域放送局及び広域放送局）とを識別可能に表示するものであってもよい。
【００３４】
また、ラジオ放送局が県域放送局であるか否かを示す識別情報、及び、ラジオ放送局が広域放送局であるか否かを示す識別情報が記憶部１１に記憶されている場合には、制御部１６は、コミュニティ放送局と、県域放送局と、広域放送局とを互いに識別可能に表示装置１２に表示してもよい。また、同様にして、制御部１６は、ＡＭ放送局も加えて識別可能に表示してもよい。
【００３５】
＜変形例１＞
以上に説明したステップＳ１では、制御部１６は、予め定められた最小の周波数と予め定められた最大の周波数との間の全範囲内にて、受信放送の周波数を一定間隔ごとに変更しながら、当該受信放送の受信強度を判定した。しかし、ステップＳ１の受信強度の判定は、これに限ったものではない。
【００３６】
例えば、制御部１６は、ユーザによって予め定められたラジオ放送局（いわゆるプリセットされたラジオ放送局）の周波数についてのみ、受信放送の受信強度を判定してもよい。
【００３７】
また別の例として、制御部１６は、放送局情報１１ａに含まれる送信所の送信出力及び位置と、現在位置検出部１４で検出された自車の現在位置とに基づいて、受信強度を判定すべきラジオ放送局を決定してもよい。例えば、制御部１６は、送信所の送信出力（出力時の電波強度）が大きくなるほど大きい値となり、自車の現在位置と送信所の位置との間の距離が長くなるほど小さい値となる評価値を、各ラジオ放送局について算出する。そして、制御部１６は、算出した評価値が予め定められた閾値以上となるラジオ放送局の周波数についてのみ、受信放送の受信強度を判定してもよい。
【００３８】
＜変形例２＞
制御部１６は、操作部１３にて予め定められた操作を受け付けた場合に、受信可能なラジオ放送局のうちコミュニティ放送局のみを表示してもよい。例えば、制御部１６は、受信可能なラジオ放送局の名称を表示している際（図３）に、操作部１３にて特定ボタンへの操作を受け付けた場合には、図５に示されるように、受信可能なラジオ放送局の名称のうちコミュニティ放送局の名称のみをリスト形式で表示してもよい。
【００３９】
このような構成によれば、ユーザは、コミュニティ放送局を容易に認知することができる。これにより、ユーザは、災害発生時において、有用な災害情報を早急に聴くことができる。
【００４０】
また、図５に示されるように、受信可能なラジオ放送局として複数のコミュニティ放送局の名称のみを表示する場合には、制御部１６は、当該複数のコミュニティ放送局の名称を、自車の現在位置と、放送局情報１１ａに含まれるコミュニティ放送局に関する送信所の位置との間の距離（例えば直線距離）が長くなる順に並べて表示してもよい。すなわち、受信可能な複数のコミュニティ放送局を、自車の現在位置から送信所の位置までの距離が短いものから順に並べてリスト形式で表示してもよい。なお、自車の現在位置が、一のコミュニティ放送局の放送対象地域内にある場合には、制御部１６は、当該一のコミュニティ放送局を、その送信所の位置に関わらず、距離が最も短いコミュニティ放送局として適用する。
【００４１】
このような構成によれば、ユーザは、自身の現在位置に近いコミュニティ放送局を容易に認知することができるので、災害発生時に当該コミュニティ放送局を選局することによって、自身に関係する有用な災害情報をより早急に聴くことができる。
【００４２】
また、放送局情報１１ａが、コミュニティ放送局に関する放送対象地域の情報（例えば放送対象地域に対応する役所または役場の位置、及び、放送対象地域を画定する境界線など）を含んでいる場合には、当該送信所の位置の代わりに、当該放送対象地域の情報を適用してもよい。
【００４３】
具体的には、制御部１６は、放送対象地域に対応する役所または役場の位置を、放送対象地域の代表位置として決定する。または、制御部１６は、放送対象地域を画定する境界線上の任意の地点のうち、自車の現在位置との間の距離が最短となる地点を、放送対象地域の代表位置として決定する。そして、制御部１６は、上述の複数のコミュニティ放送局の名称を、自車の現在位置と、コミュニティ放送局の代表位置との間の距離が長くなる順に並べて表示してもよい。このような構成であっても、上述と同様に、ユーザは、自身の現在位置に近いコミュニティ放送局を容易に認知することができる。
【００４４】
また、図５に示されるように、制御部１６は、現在位置検出部１４で検出した自車の現在位置（ここではＡ市）を、表示装置１２の表示範囲１２ｄに表示してもよい。また、ここでは、コミュニティ放送局のみをリスト形式で表示することについて説明したが、これに限ったものではなく、県域放送局、広域放送局及びＡＭ放送局のいずれか、または、これらの組み合わせたものについても、同様にリスト形式で表示してもよい。
【００４５】
＜変形例３＞
変形例３では、放送対象地域を地図情報１１ｂに付加可能な情報（例えば、地図情報１１ｂにおける当該放送対象地域の名称または識別コードなど）が、放送局情報１１ａに含まれている。
【００４６】
そして、制御部１６は、操作部１３にて予め定められた操作（例えば特定ボタンへの操作）を受け付けた場合には、受信可能なラジオ放送局の名称の表示（図３）から、図６に示されるように、当該ラジオ放送局のうちコミュニティ放送局に関する放送対象地域を識別可能に付加した地図情報１１ｂの表示に切り替える。なお、図６に示すように、制御部１６は、自車の進行方向に頂角部分を向けた二等辺三角形のマーク１２ｅを、自車の位置に付して、地図情報１１ｂを表示装置１２に表示してもよい。
【００４７】
このような構成によれば、例えば、ユーザが、精通していない地域を旅行している際に災害が発生した場合であっても、図６のような表示から、コミュニティ放送局がどの地域で放送されているかを一目で確認することができる。したがって、ユーザは、自身の現在位置に近いコミュニティ放送局を容易に認知することができるので、自身に関係する有用な災害情報を早急に聴くことができる。
【００４８】
なお、図６では、コミュニティ放送局に関する放送対象地域内に模様（ここでは細かい点のハッチング）が付与されることにより、放送対象地域が識別可能に表示されているが、これに限ったものではない。例えば、コミュニティ放送局に関する放送対象地域の名称を示す文字のフォントを変更したり、当該放送対象地域の境界線を太くしたりすることによって、コミュニティ放送局に関する放送対象地域を識別可能に表示してもよい。
【００４９】
＜変形例４＞
図７は、本発明の変形例４に係るナビゲーション装置１の構成の一例を示すブロック図である。この図７に示されるように、変形例４に係るナビゲーション装置１は、以上で説明した実施の形態１の構成に、通信部２１が追加されたものとなっている。ここで、制御部１６及び通信部２１以外の構成要素については、実施の形態１と同様であるため、以下においては、制御部１６及び通信部２１についてのみ説明する。
【００５０】
通信部２１は、例えば、ＴＭＣ（Traffic Message Channel）、ＶＩＣＳ（Vehicle Information and Communication System）（登録商標）及びＤＳＲＣ（Dedicate Short Range Communication）からの信号を受信する通信機器などから構成される。このように構成された通信部２１（ネットワーク情報取得部）は、自車外部の通信機器と無線通信を行うことによって、ネットワークから各種情報を受信（取得）する。
【００５１】
操作部１３にて所望のコミュニティ放送局（ユーザが聴こうとするコミュニティ放送局）を選択する操作を受け付けた場合には、制御部１６は、通信部２１を、所望のコミュニティ放送局のホームページを管理するサーバにアクセスさせ、当該ホームページをサーバから受信させる。それから、制御部１６は、受信可能なラジオ放送局の名称の表示（図３）から、図８に示されるように、通信部２１がネットワークから受信した当該ホームページ（ユーザが聴こうとするコミュニティ放送局に関する情報）の表示に切り替える。これにより、当該ホームページが表示範囲１２ｆに表示される。
【００５２】
このような構成によれば、ユーザは、コミュニティ放送局がどのような内容を放送しているかなどを認知することができる。また、ユーザは、コミュニティ放送局で放送中の番組情報や、番組表なども確認することができる。
【００５３】
なお、図８に示されるように、制御部１６は、表示範囲１２ｆにホームページが表示されているラジオ放送局の名称と、その放送対象地域の名称とを、表示範囲１２ｇに表示させてもよい。また、制御部１６は、表示範囲１２ｆにホームページが表示されているラジオ放送局をプリセットするためのボタン１２ｈも、表示装置１２に表示させてもよい。また、制御部１６は、表示範囲１２ｆにホームページを常に表示するか否かを切り替えるためのボタン１２ｉも、表示装置１２に表示させてもよい。
【００５４】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【００５５】
例えば、以上の説明では、表示制御装置を、ナビゲーション装置１に適用した構成について説明したが、これに限ったものではなく、ＰＮＤ、携帯端末、及び、サーバのいずれかに適用してもよい。
【００５６】
また、以上では、放送局情報取得部に、ナビゲーション装置１の外部から放送局情報１１ａを取得し、当該放送局情報１１ａを記憶する記憶部１１を適用した構成について説明した。しかし、放送局情報取得部は、放送局情報１１ａを取得するものであれば、記憶部１１に限ったものではなく、例えば放送局情報１１ａを受信するように構成された通信部２１などであってもよい。また、例えば、表示制御装置をスマートフォンに適用する場合には、スマートフォンの構成要素のうち、記憶部１１と同等の記憶部などが、放送局情報取得部に適用されてもよい。また、例えば、表示制御装置をサーバに適用する場合には、サーバの構成要素のうち、記憶部１１と同等の記憶部などが、放送局情報取得部に適用されてもよい。なお、地図情報取得部についても、放送局情報取得部と同様の変形例を適用することができる。
【００５７】
また、以上では、操作取得部に、ユーザからの操作を受け付ける操作部１３を適用した構成について説明した。しかし、操作取得部は、ユーザからの操作を取得するものであれば、操作部１３に限ったものではない。例えば、表示制御装置をスマートフォンに適用する場合には、スマートフォンの構成要素のうち、操作部１３と同等の操作部などが、操作取得部に適用されてもよい。また、例えば、表示制御装置をサーバに適用する場合には、サーバの構成要素のうち、ユーザからの操作を受信する通信部などが、操作取得部に適用されてもよい。
【００５８】
また、以上では、位置取得部に、自車の現在位置を検出する現在位置検出部１４を適用した構成について説明した。しかし、位置取得部は、着目すべき車両の位置を取得するものであれば、現在位置検出部１４に限ったものではない。例えば、表示制御装置をスマートフォンに適用する場合には、スマートフォンの構成要素のうち、現在位置検出部１４と同等の検出部などが、位置取得部に適用されてもよい。また、例えば、表示制御装置をサーバに適用する場合には、サーバの構成要素のうち、着目すべき車両の位置を受信する通信部などが、位置取得部に適用されてもよい。
【００５９】
また、以上では、表示装置に、ナビゲーション装置１の表示装置１２を適用した構成について説明した。しかし、表示装置は、移動体とともに移動する表示装置であれば、ナビゲーション装置１の表示装置１２に限ったものではなく、例えば、スマートフォンの構成要素のうち、表示装置１２と同等の表示装置などが適用されてもよい。また、以上では、移動体が車両である場合について説明したが、これに限ったものではなく、移動体は、車両以外の移動手段や人であってもよい。
【００６０】
なお、本発明は、その発明の範囲内において、実施の形態を適宜、変形、省略することが可能である。
【符号の説明】
【００６１】
１  ナビゲーション装置、１１  記憶部、１１ａ  放送局情報、１１ｂ  地図情報、１２  表示装置、１３  操作部、１４  現在位置検出部、１６  制御部、２１  通信部。
【図１】
2014239319.tif 000003
【図２】
2014239319.tif 000004
【図３】
2014239319.tif 000005
【図４】
2014239319.tif 000006
【図５】
2014239319.tif 000007
【図６】
2014239319.tif 000008
【図７】
2014239319.tif 000009
【図８】
2014239319.tif 000010